(57)【要約】【課題】内容物の量を検知可能な透明窓部を備え、紫外光による内容物の劣化を抑制し得た熱収縮性筒状ラベルを提供することを目的とする。【解決手段】透明な基材フィルムを備え、容器の透明胴部を覆う熱収縮性筒状ラベルであって、基材フィルムの表面又は裏面には、透明窓部となる領域を残して印刷されてなる印刷層を有している。容器の透明胴部を覆う部分の基材フィルムの裏面全面に、ＵＶカット層が設けられている、あるいは、印刷層はＵＶカット機能を有し、容器の透明部分を覆う印刷層以外の領域の基材フィルムの裏面に、ＵＶカット層が設けられている。【選択図】図１
2020037420.tif 000002
【特許請求の範囲】
【請求項１】
透明な基材フィルムを備え、容器の透明胴部を覆う熱収縮性筒状ラベルであって、
前記基材フィルムの表面及び／又は裏面には、透明窓部となる領域を残して印刷されてなる印刷層を有し、
前記容器の透明胴部を覆う部分の基材フィルムの裏面全面に、ＵＶカット層が設けられている、
ことを特徴とする熱収縮性筒状ラベル。
【請求項２】
透明な基材フィルムを備え、容器の透明胴部を覆う熱収縮性筒状ラベルであって、
前記基材フィルムの表面及び／又は裏面には、透明窓部となる領域を残して印刷されてなる印刷層を有し、
前記印刷層はＵＶカット機能を有し、
前記容器の透明部分を覆う印刷層以外の領域の基材フィルムの裏面に、ＵＶカット層が設けられている、
ことを特徴とする熱収縮性筒状ラベル。
【請求項３】
前記印刷層は遮光機能を有する、
ことを特徴とする請求項１又は２記載の熱収縮性筒状ラベル。
【請求項４】
請求項１ないし３のいずれかに記載の熱収縮性筒状ラベルが装着されたラベル付き容器。
【発明の詳細な説明】
【技術分野】
【０００１】
本発明は一般に熱収縮性筒状ラベルに関するものであり、より特定的には、内容物の残量を視認できる熱収縮性筒状ラベル、及びそのようなラベルが装着されたラベル付き容器に関する。
【背景技術】
【０００２】
近年、ＰＥＴボトル飲料の普及に伴い、各飲料メーカからは様々な商品が販売されている。これらＰＥＴボトル飲料は、他社との違いを明確にするため、また消費者層に対するイメージをよくするため、などの目的でデザイン性を重視したラベルが装飾されている。
【０００３】
ところで、内容物によっては、光によって劣化が早まるものがある。このため、ラベルに遮光機能を持たせる技術が提案されている（たとえば、特許文献１、２参照）。
【先行技術文献】
【特許文献】
【０００４】
【特許文献１】特開２００４−３１４５５９号公報
【特許文献２】特開２００５−３５００９７号公報
【発明の概要】
【発明が解決しようとする課題】
【０００５】
この一方、一度に使いきることが少ない内容物を収容する容器においては、内容物の残量が視認できることが求められている。しかしながら、遮光機能と内容物残量の視認機能との両立は難しい。
【０００６】
この発明は上記のような問題点を解決するためになされたもので、内容物の残量を視認でき、且つ、光による劣化を抑制し得た熱収縮性筒状ラベルを提供することを目的とする。
【０００７】
この発明の他の目的は、そのような熱収縮性筒状ラベルが装着された容器を提供することにある。
【課題を解決するための手段】
【０００８】
熱収縮性筒状ラベルにかかる本発明の第１の態様は、透明な基材フィルムを備え、容器の透明胴部を覆う熱収縮性筒状ラベルであって、基材フィルムの表面及び／又は裏面には、透明窓部となる領域を残して印刷されてなる印刷層を有している。容器の透明胴部を覆う部分の基材フィルムの裏面全面には、ＵＶカット層が設けられている。
【０００９】
熱収縮性筒状ラベルにかかる本発明の第２の態様は、透明な基材フィルムを備え、容器の透明胴部を覆う熱収縮性筒状ラベルであって、基材フィルムの表面及び／又は裏面には、透明窓部となる領域を残して印刷されてなる印刷層を有している。印刷層はＵＶカット機能を有し、容器の透明部分を覆う印刷層以外の領域の基材フィルムの裏面に、ＵＶカット層が設けられている。
【００１０】
上記本発明にかかる熱収縮性筒状ラベルは、容器の透明胴部を覆うものであり、且つ、透明窓部と印刷層とが設けられている。上記第１の態様では、容器の透明胴部を覆う部分の基材フィルムの裏面全面にＵＶカット層が設けられている。また、上記第２の態様では、印刷層にＵＶカット機能を持たせるとともに、容器の透明部分を覆う印刷層以外の領域（透明窓部を含む）の基材フィルムの裏面には、ＵＶカット層を設けている。これらの構成を採用することにより、内容物の量を視認するための透明窓部を有していても、光の中でも特に内容物を劣化させやすい紫外光が、容器の透明な胴部から内部に侵入することを抑制できる。
【００１１】
上記本発明の第１の態様及び第２の態様において、基材フィルムの印刷層が遮光機能を有しているものとすることができる。これにより、紫外領域のみならず可視領域の光のカット率をより高めることができる。
【００１２】
なお、基材フィルムの裏面（容器と接する面）に設けられたＵＶカット層は、輸送中に摩擦などによってはがれたり傷ついたりすることがなく、長期にわたってＵＶカット機能を発揮できる。
【００１３】
上記容器は、内容物を視認可能な透明または半透明の材料で構成されていればよく、ポリオレフィン系の樹脂あるいはポリエステル系樹脂で形成されるのが好ましいが、特に限定されない。
【００１４】
ＵＶカット層は、ＵＶカット機能を有し、透明性を阻害しないものであれば、特に限定されない。ＵＶカットに寄与する添加剤としてはたとえば、ベンゾトリアゾール系、トリアジン系、ベンゾフェノン系、安息香酸系、ケイヒ酸系、又はサリチル酸系の紫外線吸収剤や、酸化亜鉛、酸化チタンなどの紫外線吸収性無機粒子等を用いることができる。ＵＶカット層には、アクリル系、ウレタン系などの樹脂成分に、これらの紫外線吸収剤や紫外線吸収性無機粒子を分散させ、必要に応じて、ワックス、シリコーンなどの滑剤などを添加したものを用いることができる。
【００１５】
また、本発明におけるＵＶカット機能とは、２８０〜４００ｎｍの波長領域の光のカット率が８０％以上（透過率が２０％以下）であることを意味する。ここで、印刷層やＵＶカット層自体のＵＶカット機能を測定することは困難であるため、ＵＶカット層が形成された透明窓部（ＵＶカット層が形成された基材フィルム）、印刷層が形成された基材フィルム、あるいはＵＶカット層及び印刷層が形成された基材フィルムにおいて、上記のＵＶカット機能が満たされているものとする。
【００１６】
なお、熱収縮性筒状ラベルの上下端部近傍は、印刷層が形成されないで透明部となった構成や、下地層のみが印刷された構成とすることができる。このような上下の透明部や下地部は、熱収縮性筒状ラベルを連続的に生産する際に、切断のずれなどが生じた場合にもデザイン性を損なわないようにする緩衝スペースとして利用できる。もちろん、この透明部や下地部が透明胴部と重なる場合、下地部にＵＶカット機能を持たせたり、裏面にＵＶカット層を設けたりするなどして、これらの領域にＵＶカット機能を持たせる。
【００１７】
また、容器の透明胴部とは、容器の底部から口部までの領域であって、透明である領域全てを意味する。本発明にかかる熱収縮性筒状ラベルは、透明胴部以外の部分（口部や底部の一部ないし全部）をも覆う構成であってもよいが、これらの領域（たとえば透明な底部や、白色の口部）を覆う部分は、ＵＶカット機能があってもよく、なくてもよい。
【００１８】
印刷層の構成については特に限定されないが、上述した上下端部近傍の下地部を除き、少なくともパッケージデザイン等が印刷された層（デザイン層という）とベタと呼ばれる下地となる層（下地層という）とを有する。
【００１９】
また、印刷層が形成された部分（印刷層が形成された基材フィルム）は、２８０〜８００ｎｍの波長領域の光のカット率が８０％以上の遮光機能を有していてもよい。光のカット率（ＵＶカット率を含む）は、紫外可視分光光度計（例えば、日本分光（株)製  V-700シリーズ等）で測定することができる。
【００２０】
印刷層が遮光機能を有している場合、下地となる層には、白色下地層、黒色下地層、銀色下地層をそれぞれ単独で有する場合とこれらの組み合わせとなる複数層を有する場合がある。
【００２１】
白色下地層には、酸化チタン、硫酸バリウム、炭酸カルシウムなどを含む白色インキを用いることができ、黒色下地層には、カーボンブラックなどを含む黒色インキを用いることができる。また、銀色下地層は、アルミニウム等の金属粉を含む銀色インキを用いることができる。
【００２２】
遮光機能を有する印刷層の構成は、例えば、デザイン層／白色下地層、デザイン層／黒色下地層、デザイン層／銀色下地層、デザイン層／白色下地層／黒色下地層、デザイン層／白色下地層／銀色下地層、デザイン層／白色下地層／黒色下地層／銀色下地層、又はデザイン層／白色下地層／銀色下地層／黒色下地層等を挙げることができるが、必ずしもこれらに限られるものではない。このように、複数層により構成される印刷層が形成される場合、これらは基材フィルムの表面のみや裏面のみに形成されてもよく、ある層は基材フィルムの表面、残余の層は基材フィルムの裏面に形成されていてもよい。
【００２３】
基材フィルムは、熱収縮性を有するものであればよく、特に限定されないが、ポリエステル系樹脂、ポリスチレン系樹脂又はポリオレフィン系樹脂、あるいはこれらの積層物で形成されるのが好ましい。
【００２４】
基材フィルムには、紫外線吸収剤、アンチブロッキング剤、滑剤、静電気防止剤、抗菌剤、安定剤等、各種公知の添加剤や異なる樹脂等を合目的的に添加してもよい。
【００２５】
また、基材フィルムは透明であることが必須であるが、これには無色透明、有色透明、半透明の全てが含まれる。
【００２６】
基材フィルムは、シール溶剤を用いて筒状に成形する構成とすることができる。このシール溶剤は、基材フィルムにポリエステル系フィルムを使用する場合、１，３ジオキソランまたはテトラヒドロフランが好ましい、またポリスチレン系フィルムを使用する場合は、テトラヒドロフランまたはメチルエチルケトンが好ましい。
【００２７】
また、印刷層やＵＶカット層は、一回の印刷や塗工工程により形成されていてもよく、２回以上の工程を経て形成されていてもよい。
【００２８】
本発明のラベル付き容器は、例えば、お茶、コーヒー、紅茶、水、清涼飲料水、炭酸飲料、ジュースなどの飲料；日本酒、ワイン等の酒類；しょうゆ、みりん、めんつゆ、油などの調味料類、化粧水、乳液などの化粧品類などの容器として利用でき、特に光により内容物が劣化しやすいものの、残量の視認が求められる用途に適している。
【発明の効果】
【００２９】
本発明によれば、熱収縮性筒状ラベルが残量確認用の透明窓部を有していても、紫外光による劣化が防止される。
【図面の簡単な説明】
【００３０】
【図１】（ａ）は本発明の第１の態様に係る熱収縮性筒状ラベルの正面斜視図であり、（ｂ）は当該熱収縮性筒状ラベルを装着した容器の正面斜視図であり、（ｃ）は図１（ａ）におけるＢ−Ｂ平面に沿う断面図である。
【図２】本発明の第２の態様に係る熱収縮性筒状ラベルの断面図である。
【図３】実施の形態３に係る熱収縮性筒状ラベルの断面図である。
【図４】（ａ）は実施の形態４に係る熱収縮性筒状ラベルの正面斜視図であり、（ｂ）は当該熱収縮性筒状ラベルを装着した容器の正面斜視図である。
【発明を実施するための形態】
【００３１】
以下、この発明の実施例を、図面を参照説明する。なお、各図中、同一部分には同一の参照番号を付し、その説明を繰り返さない。
【００３２】
（実施の形態１）
本実施の形態は、本発明の第１の態様にかかるものである。図１（ａ）は本発明に係る熱収縮性筒状ラベルの正面斜視図であり、図（ｂ）は当該熱収縮性筒状ラベルを装着した容器の正面斜視図であり、図（ｃ）は図１（ａ）におけるＢ−Ｂ平面に沿う断面図である。実施例１に係る熱収縮性筒状ラベル１は、一方端部３ａと他方端部３ｂを有する基材フィルム３を備える。熱収縮性筒状ラベル１は、基材フィルム３を筒状になるように曲げ、一方端部３ａを他方端部３ｂの上に重ね合わせてシール溶剤により接着してなる。
【００３３】
基材フィルム３の裏面（熱収縮性筒状ラベルの外側面）には、重ね合わせ部の近傍の透明窓部４を除いた全ての領域（重ね合わせ部を含む）に、印刷層５が形成されている。印刷層５は、基材フィルムの裏面に接して形成されたデザイン層５ｃと、デザイン層５ｃ上に形成された白色下地層５ａと、を備えている。印刷層５は、基材フィルムの表面、裏面のいずれに形成してもよいが、基材フィルムの裏面に形成することにより、摩擦によって傷つくことを防止できる。なお、透明窓部４を設ける位置は重ね合わせ部近傍に限定されない。印刷層５が形成された部分の基材フィルムのＵＶカット率は、８０％以上となるようになっている。また、印刷層５が形成された部分の基材フィルムの遮光率は、８０％以上であることがより好ましい。
【００３４】
また、透明窓部４の裏面部分のみに、ＵＶカット層６が形成されている。これにより、ＵＶカット層が形成された透明窓部４のＵＶカット率は８０％以上となるようになっている。
【００３５】
熱収縮性筒状ラベル１は、図１（ｂ）に示すように、ペットボトルなどの容器２に装着し、熱収縮させて用いられる。熱収縮は、熱収縮性筒状ラベル１をペットボトル等の容器２の胴部に装着し、装着した容器をシュリンクトンネルに通して、収縮させることにより行われる。容器２への内容物の充填は、容器に熱収縮性筒状ラベル１を装着する前に行っても良いし、シュリンクトンネルを通して収縮させた後に行っても良い。
【００３６】
ＵＶカット層の材料としては、透明窓部のＵＶカット率が８０％以上となるような材料であれば特に限定されないが、ベンゾトリアゾール系、トリアジン系、ベンゾフェノン系、安息香酸系、ケイヒ酸系、又はサリチル酸系の紫外線吸収剤や、酸化亜鉛、酸化チタンなどの紫外線吸収性無機粒子等の紫外線吸収性添加剤を樹脂材料中に含ませたもの用いることが好ましい。
【００３７】
このような構成を採用することにより、容器の透明胴部（図１（ｂ）の半楕円状一点鎖線２ａと底部との間の領域）は印刷層、ＵＶカット層のいずれかが形成された部分で覆われるので、紫外光による内容物の劣化を防止できる。なお、本実施の形態において半楕円状一点鎖線２ａよりも上側領域は白色の口部であり、ここからの容器内部への光の侵入は阻止される。
【００３８】
（実施の形態２）
本実施の形態は、本発明の第２の態様にかかるものである。本実施の形態は、図２に示すように、印刷層５の裏側部分にもＵＶカット層６が形成されていること以外は、上記実施の形態１と同様である。この構成では、印刷層５にＵＶカット機能があるか否かにかかわらず、紫外光による内容物の劣化を防止できる。この構成を採用する場合において、印刷層５が形成された部分の基材フィルムの遮光率は、８０％以上であることがより好ましい。
【００３９】
（実施の形態３）
本実施の形態は、図３に示すように、白色下地層５ａ上に黒色下地層５ｂを設けたこと以外は、上記実施の形態１と同様である。本実施の形態によると、黒色下地層によって可視光線の確実な遮光が可能になっている。
【００４０】
（実施の形態４）
本実施の形態は、図４（ａ）に示すように、熱収縮性筒状ラベルの上下に透明な部分（上透明部８及び下透明部９）を有していること以外は、上記実施の形態１と同様である。
【００４１】
このような上下の透明部は、熱収縮性筒状ラベルを連続的に生産する際に、切断のずれなどが生じた場合にもデザイン性を損なわないようにする緩衝スペースとして利用される。
【００４２】
透明窓部４は、筒状ラベルの下側の一部分のみに設けられている構成としてもよい。容器内の残量は、残量が多いときには半分以上残っている、三分の一以上残っているなどの大雑把な把握で十分で、残量が少ないときには正確な残量把握を行いたいと考える使用者も少なくない。上記のようにすることにより、光による劣化をより抑制しつつ、残量が少ないときには正確な残量把握が可能になる。
【００４３】
ここで、図４（ｂ）に示すように、熱収縮性筒状ラベルの下透明部全体が容器の底面と接し、容器上方からの光がこの透明部分に全く当たらない（下透明部が上方から視認できない）場合には、この下透明部は何ら加工をしなくてもよい。また、熱収縮性筒状ラベルの上透明部８が、図４（ｂ）に示すように、遮光機能を有する容器の口部（図４（ｂ）の半楕円状の一点鎖線２ａよりも上側部分）と重なり、容器上方からの光が口部を透過しない場合には、この透明部分は何ら加工をしなくてもよい。
【００４４】
この一方、このような形態をとっていない場合には、たとえば上下の透明部を設けずに白色下地層としたり裏面にＵＶカット層を設けたりして、緩衝スペースを確保しつつＵＶカットする構成とすることができる。
【００４５】
今回開示された実施例はすべての点で例示であって制限的なものではない。本発明の範囲は上記した説明ではなくて特許請求の範囲によって示され、特許請求の範囲と均等の意味および範囲内でのすべての変更が含まれることが意図される。
【産業上の利用可能性】
【００４６】
本発明にかかる熱収縮性筒状ラベルによれば、紫外光による内容物の劣化を防止しつつも、内容物の残量の視認が可能となる。
【符号の説明】
【００４７】
１ 熱収縮性筒状ラベル
２ 容器
２ａ 口部と透明胴部との境界
３ 基材フィルム
３ａ 一方端部
３ｂ 他方端部
４ 透明窓部
５ 印刷層
５ａ 白色下地層
５ｂ 黒色下地層
５ｃ デザイン層
６ ＵＶカット層
８ 上透明部
９ 下透明部
【図１】
2020037420.tif 000003
【図２】
2020037420.tif 000004
【図３】
2020037420.tif 000005
【図４】
2020037420.tif 000006